(57)【要約】【課題】  過去の付加画像を表示させることが可能な情報を提供することが可能なプロジェクター等を提供すること。【解決手段】  プロジェクター１００が、プレゼンテーション画像に付加された付加画像を示し、かつ、プレゼンテーション画像の状態と関連付けた付加情報１２６を生成する情報生成部１４０と、付加情報１２６を、付加情報１２６に基づいて付加画像が付加されたプレゼンテーション画像を表示することが可能な画像表示装置へ向け送信する通信部１１０を含んで構成される。【選択図】  図２
2012195730.tif 000002
【特許請求の範囲】
【請求項１】
プレゼンテーション画像に付加された付加画像を示し、かつ、前記プレゼンテーション画像の状態と関連付けた付加情報を生成する情報生成部と、
前記付加情報を、前記付加情報に基づいて前記付加画像が付加された前記プレゼンテーション画像を表示することが可能な画像表示装置へ向け送信する提供側通信部と、
を含む情報提供装置。
【請求項２】
請求項１に記載の情報提供装置において、
前記情報生成部は、前記付加画像の変化に関する操作履歴に基づき、前記付加情報を生成する、
情報提供装置。
【請求項３】
請求項１または請求項２に記載の情報提供装置において、
前記情報生成部は、前記状態の変化に関する操作履歴に基づき、前記状態を示す状態情報を生成する、
情報提供装置。
【請求項４】
請求項２または請求項３のいずれか１項に記載の情報提供装置において、
操作を受け付ける提供側受付部と、
当該提供側受付部によって受け付けられた前記操作に応じて前記操作履歴を生成する操作履歴生成部と、
を含む情報提供装置。
【請求項５】
請求項１〜４のいずれか１項に記載の前記情報提供装置と、
前記プレゼンテーション画像を投写する投写部と、
を含むプロジェクター。
【請求項６】
プレゼンテーション画像の状態と関連付けられた付加画像を示す付加情報を受信する表示側通信部と、
前記状態に関する選択を受け付ける表示側受付部と、
前記プレゼンテーション画像を示すプレゼンテーションデータと、前記選択に応じた前記付加情報とに基づき、前記選択に応じた状態で前記付加画像が付加された前記プレゼンテーション画像を生成する表示側画像生成部と、
当該プレゼンテーション画像を表示する表示部と、
を含む画像表示装置。
【請求項７】
請求項１〜４のいずれか１項に記載の前記情報提供装置と、
請求項６に記載の前記画像表示装置と、
を含む画像表示システム。
【請求項８】
情報提供装置が画像表示装置に情報を提供し、前記複数の画像表示装置が前記情報に基づいて画像を表示する画像表示方法であって、
前記情報提供装置は、
プレゼンテーション画像に付加された付加画像を示し、かつ、前記プレゼンテーション画像の状態と関連付けた付加情報を生成し、
前記付加情報を、前記付加情報に基づいて前記付加画像が付加された前記プレゼンテーション画像を表示することが可能な前記画像表示装置へ向け送信し、
前記画像表示装置は、
前記情報提供装置から前記付加情報を受信し、
前記状態に関する選択を受け付け、
前記プレゼンテーション画像を示すプレゼンテーションデータと、前記選択に応じた前記付加情報とに基づき、前記選択に応じた状態で前記付加画像が付加された前記プレゼンテーション画像を生成し、
当該プレゼンテーション画像を表示する、
画像表示方法。
【発明の詳細な説明】
【技術分野】
【０００１】
本発明は、情報提供装置、プロジェクター、画像表示装置、画像表示システムおよび画像表示方法に関する。
【背景技術】
【０００２】
特開２０１０−１２２２６３号公報では、あらかじめ準備されたプレゼンテーション資料等の画像データに、リモコン（リモートコントローラー）やマウス等による指示位置を示すポインター画像、アンダーライン等の手書き画像等の付加情報を含むリアルタイムな映像を表示することができるプロジェクターを提供することを目的として、付加画像を含むリアルタイムな映像をキャプチャーし、クライアントＰＣ端末から表示要求を受け付けた場合のみ、クライアントＰＣ端末においてブラウザー表示させるためのクライアントブラウザー表示ファイルを作成することが記載されている。
【先行技術文献】
【特許文献】
【０００３】
【特許文献１】特開２０１０−１２２２６３号公報
【発明の概要】
【発明が解決しようとする課題】
【０００４】
しかし、特開２０１０−１２２２６３号公報の手法の場合、過去に表示された付加画像を確認することは困難である。例えば、生徒が授業を受けている状況で、ノートに書き込みを行っているうちに次の資料が表示されてしまうと、上記手法によって当該次の資料と新たな付加画像を示す画像を確認することはできるが、確認すべき前の資料と当該資料に対応した付加画像を確認することはできない。
【０００５】
本発明にかかるいくつかの態様は、上記課題を解決することにより、過去の付加画像を表示させることが可能な情報を提供することが可能な情報提供装置、プロジェクター等を提供し、あるいは、過去の付加画像を表示することが可能な画像表示装置、画像表示システムおよび画像表示方法を提供するものである。
【課題を解決するための手段】
【０００６】
本発明の態様の１つである情報提供装置は、プレゼンテーション画像に付加された付加画像を示し、かつ、前記プレゼンテーション画像の状態と関連付けた付加情報を生成する情報生成部と、前記付加情報を、前記付加情報に基づいて前記付加画像が付加された前記プレゼンテーション画像を表示することが可能な画像表示装置へ向け送信する提供側通信部と、を含むことを特徴とする。
【０００７】
また、本発明の態様の１つであるプロジェクターは、前記情報提供装置と、前記プレゼンテーション画像を投写する投写部と、を含むことを特徴とする。
【０００８】
また、本発明の態様の１つである画像表示装置は、プレゼンテーション画像の状態と関連付けられた付加画像を示す付加情報を受信する表示側通信部と、前記状態に関する選択を受け付ける表示側受付部と、前記プレゼンテーション画像を示すプレゼンテーションデータと、前記選択に応じた前記付加情報とに基づき、前記選択に応じた状態で前記付加画像が付加された前記プレゼンテーション画像を生成する表示側画像生成部と、当該プレゼンテーション画像を表示する表示部と、を含むことを特徴とする。
【０００９】
また、本発明の態様の１つである画像表示システムは、前記情報提供装置と、前記画像表示装置と、を含むことを特徴とする。
【００１０】
また、本発明の態様の１つである画像表示方法は、情報提供装置が画像表示装置に情報を提供し、前記複数の画像表示装置が前記情報に基づいて画像を表示する画像表示方法であって、前記情報提供装置は、プレゼンテーション画像に付加された付加画像を示し、かつ、前記プレゼンテーション画像の状態と関連付けた付加情報を生成し、前記付加情報を、前記付加情報に基づいて前記付加画像が付加された前記プレゼンテーション画像を表示することが可能な前記画像表示装置へ向け送信し、前記画像表示装置は、前記情報提供装置から前記付加情報を受信し、前記状態に関する選択を受け付け、前記プレゼンテーション画像を示すプレゼンテーションデータと、前記選択に応じた前記付加情報とに基づき、前記選択に応じた状態で前記付加画像が付加された前記プレゼンテーション画像を生成し、当該プレゼンテーション画像を表示することを特徴とする。
【００１１】
本発明によれば、情報提供装置等は、プレゼンテーション画像の状態と関連付けた付加情報を、当該付加情報に基づいて付加画像が付加されたプレゼンテーション画像を表示することが可能な画像表示装置へ向け送信することにより、過去の付加画像を表示させることが可能な情報を提供することができる。また、本発明によれば、画像表示装置は、選択に応じた状態で付加画像が付加されたプレゼンテーション画像を生成して表示することができるため、過去の付加画像を表示することができる。
【００１２】
また、前記情報生成部は、前記付加画像の変化に関する操作履歴に基づき、前記付加情報を生成してもよい。これによれば、情報提供装置等は、付加画像の変化を反映させた状態で付加情報を提供することができるため、画像表示装置は、当該変化を反映した画像を表示することができる。
【００１３】
また、前記情報生成部は、前記状態の変化に関する操作履歴に基づき、前記状態を示す状態情報を生成してもよい。これによれば、情報提供装置等は、状態の変化を反映させた状態で付加情報を生成し、当該状態に応じた付加情報を提供することができるため、画像表示装置は、当該変化を反映した画像を表示することができる。
【００１４】
また、前記情報提供装置は、操作を受け付ける提供側受付部と、当該提供側受付部によって受け付けられた前記操作に応じて前記操作履歴を生成する操作履歴生成部と、を含んでもよい。これによれば、情報提供装置等は、最新の操作履歴を生成することができるため、当該操作履歴に応じた最新の付加情報を画像表示装置に提供することができる。
【図面の簡単な説明】
【００１５】
【図１】第１の実施例における画像表示状況を示す図である。
【図２】第１の実施例におけるプロジェクターの機能ブロック図である。
【図３】第１の実施例におけるプロジェクターのハードウェアブロック図である。
【図４】第１の実施例におけるＰＣの機能ブロック図である。
【図５】第１の実施例におけるプロジェクターの画像投写手順を示すフローチャートである。
【図６】第１の実施例におけるＰＣの画像表示手順を示すフローチャートである。
【図７】第１の実施例における所定時点でのプレゼンテーション画像の一例を示す図である。
【図８】第１の実施例における所定時点より前の時点でのプレゼンテーション画像の一例を示す図である。
【発明を実施するための形態】
【００１６】
以下、本発明をプロジェクターとＰＣを用いた画像表示システムに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１７】
（第１の実施例）
図１は、第１の実施例における画像表示状況を示す図である。ここでは、教室において、複数のＰＣ（画像表示装置）２００−１〜２００−３と、プロジェクター１００がアクセスポイント３００を介して無線で接続されているものとする。プロジェクター１００は、短焦点型であり、金具３０で壁に取り付けられた状態でスクリーン１０にプレゼンテーション画像２０を投写する。教師は、電子ペン５０で複数のアイコンが表示されたメニュー画像２２から所望のアイコンを選択して電子ペン５０を操作することにより、スクリーン１０に投写されたプレゼンテーション画像２０に文字や線等の付加画像を描く。プロジェクター１００は、スクリーン１０を撮像することによって、表示状態の変化や付加画像の変化に関する電子ペン５０の操作履歴を生成し、操作履歴に基づく付加画像を状態と関連付けて示す情報を生成し、当該情報をＰＣ２００に配信する。ＰＣ２００は、当該情報に基づいて付加画像を含む画像を表示することができる。次に、このような機能を有するプロジェクター１００とＰＣ２００の機能ブロックについて説明する。
【００１８】
図２は、第１の実施例におけるプロジェクター１００の機能ブロック図である。プロジェクター１００は、プレゼンテーション画像２０を生成するとともに、ＰＣ２００に情報を配信する情報提供装置１０２と、プレゼンテーション画像２０を投写する投写部１９０を含んで構成されている。情報提供装置１０２は、無線通信機能を有する提供側の通信部１１０と、提供側の記憶部１２０と、操作履歴生成部１３０と、情報生成部１４０と、撮像機能を有する提供側の受付部１５０と、提供側の画像生成部１６０を含んで構成されている。また、記憶部１２０は、プレゼンテーション画像２０やメニュー画像２２を生成するためのプレゼンテーションデータ１２２、操作履歴生成部１３０によって生成される操作履歴１２４、情報生成部１４０によって生成される付加情報１２６および状態情報１２８等を記憶する。
【００１９】
また、プロジェクター１００は、以下のハードウェアを用いてこれらの各部として機能してもよい。図３は、第１の実施例におけるプロジェクター１００のハードウェアブロック図である。例えば、通信部１１０は無線通信ユニット９１０等、記憶部１２０は、ＲＡＭ９２０、フラッシュＲＯＭ９２２等、操作履歴生成部１３０、情報生成部１４０はＣＰＵ９３０等、受付部１５０はＣＭＯＳセンサー９５０等、画像生成部１６０は画像処理回路９６０等、投写部１９０は、ランプ駆動回路９９０、ランプ９９１、照明光学系９９２、液晶駆動回路９９３、液晶ライトバルブ９９４、レンズ９９５等であってもよい。
【００２０】
次に、ＰＣ２００の機能ブロックについて説明する。図４は、第１の実施例におけるＰＣ２００の機能ブロック図である。ＰＣ２００は、無線通信機能を有する表示側の通信部２１０と、表示側の記憶部２２０と、制御部２３０と、表示側の画像生成部２６０と、表示部２９０を含んで構成されている。また、記憶部２２０は、メニュー画像２２を含まないプレゼンテーション画像を生成するためのプレゼンテーションデータ２２２、通信部２１０によって受信される付加情報２２６等を記憶する。なお、ＰＣ２００のハードウェア構成は一般的なものであるため、説明を省略する。
【００２１】
次に、プロジェクター１００およびＰＣ２００におけるプレゼンテーション画像２０等の投写手順について説明する。図５は、第１の実施例におけるプロジェクター１００の画像投写手順を示すフローチャートである。受付部１５０は、スクリーン１０を一定時間（例えば、１秒等）ごとに撮像する。操作履歴生成部１３０は、撮像情報に基づいて電子ペン５０の赤外光の位置を検出することにより、書き込み操作があったかどうかを判定し（ステップＳ１）、書き込み操作があれば、撮像情報に基づく操作履歴１２４を更新する（ステップＳ２）。例えば、操作履歴生成部１３０は、メニュー画像２２におけるアイコンの選択操作に応じて選択されたアイコン（例えば、線の描画、消去、スクロール等）を示す情報を操作履歴１２４に追加し、電子ペン５０の移動に応じて電子ペン５０の位置（例えば、撮像画像における位置、液晶パネルにおける位置、ページの左上位置からの相対位置等）を示す情報を操作履歴１２４に追加する。
【００２２】
情報生成部１４０は、書き込み操作があれば、操作履歴１２４、状態情報１２８に基づき、現在の状態と関連付けて付加画像を示す付加情報１２６を更新する（ステップＳ３）。例えば、情報生成部１４０は、直線の描画を示すアイコンが選択された状態で、電子ペン５０が移動されれば、当該直線の種別（色、線の太さ等）と、当該直線の始点と終点を示す情報を付加情報１２６に追加する。
【００２３】
また、操作履歴生成部１３０は、上述したメニュー画像２２におけるアイコンの選択操作に基づき、スクロール操作（例えば、ページ送り操作、ページ戻し操作等）があったかどうかを判定し（ステップＳ４）、スクロール操作があれば、スクロール操作があったことを示すように操作履歴１２４を更新する（ステップＳ５）。
【００２４】
情報生成部１４０は、スクロール操作があれば、プレゼンテーションデータ１２２、操作履歴１２４に基づき、プレゼンテーション画像２０の状態（例えば、ページ番号等）を示す状態情報１２８を更新する（ステップＳ６）。例えば、情報生成部１４０は、６ページの資料が投写中の状態で、ページ送り操作があれば、７ページであることを示すように状態情報１２８を更新し、ページ戻し操作があれば、５ページであることを示すように状態情報１２８を更新する。
【００２５】
画像生成部１６０は、プレゼンテーションデータ１２２、付加情報１２６、状態情報１２８に基づき、プレゼンテーション画像２０を生成し、投写する（ステップＳ７）。また、通信部１１０は、付加情報１２６を、アクセスポイント３００を介してＰＣ２００へ向け送信する（ステップＳ８）。プロジェクター１００は、受付部１５０からの情報に基づき、終了指示があったかどうかを判定し（ステップＳ９）、終了指示がなければステップＳ１〜Ｓ９の処理を続行し、終了指示があれば当該処理を終了する。なお、ここでは、通信部１１０は、所定時間（例えば、１秒等）ごとに付加情報１２６を送信するものとする。
【００２６】
次に、ＰＣ２００におけるプレゼンテーション画像の表示手順について説明する。図６は、第１の実施例におけるＰＣ２００の画像表示手順を示すフローチャートである。通信部２１０は、アクセスポイント３００を介してプロジェクター１００から付加情報１２６を受信し（ステップＰ１）、制御部２３０は、当該付加情報１２６に応じて付加情報２２６を更新する（ステップＰ２）。なお、上述したように、付加情報１２６、２２６は、付加情報１２６生成時のプレゼンテーション画像２０の状態と関連付けられている。
【００２７】
制御部２３０は、受付部２５０からの情報に基づき、ＰＣ２００のユーザーが表示したいページの選択操作を行ったかどうかを判定する（ステップＰ３）。当該選択操作があった場合、画像生成部２６０は、制御部２３０からの命令に応じて、当該選択操作に応じた付加情報２２６と、プレゼンテーションデータ２２２に基づき、プレゼンテーション画像を生成し、表示部２９０は、当該プレゼンテーション画像を表示する（ステップＰ４）。
【００２８】
一方、当該選択操作がなかった場合、画像生成部２６０は、最新の付加情報２２６と、プレゼンテーションデータ２２２に基づき、プレゼンテーション画像を生成し、表示部２９０は、当該プレゼンテーション画像を表示する（ステップＰ５）。
【００２９】
図７は、第１の実施例における所定時点のプレゼンテーション画像４００の一例を示す図である。また、図８は、第１の実施例における所定時点より前の時点でのプレゼンテーション画像４０１の一例を示す図である。例えば、ステップＰ５の場合、最新のプレゼンテーション画像４００が表示される。プレゼンテーション画像４００は、２２ページ目の資料であり、棒グラフを示す資料画像４１０に加え、電子ペン５０の操作によって付加された付加画像４２０が表示される。また、例えば、ステップＰ４で２１ページ目の選択操作があった場合、２１ページ目のプレゼンテーション画像４０１が表示される。プレゼンテーション画像４０１は、２１ページ目の資料であり、円グラフを示す資料画像４１１に加え、電子ペン５０の操作によって付加された付加画像４２１が表示される。
【００３０】
なお、資料画像４１０、４１１を示すデータはあらかじめプレゼンテーションデータ２２２としてページ番号と関連付けられて記憶部２２０に記憶されており、付加画像４２０、４２１を示すデータは付加情報２２６として状態（ページ番号等）と関連付けられて記憶部２２０に記憶されている。
【００３１】
以上のように、本実施例によれば、プロジェクター１００は、プレゼンテーション画像２０の状態と関連付けた付加情報１２６を、当該付加情報１２６に基づいて付加画像４２０、４２１が付加されたプレゼンテーション画像４００、４０１を表示することが可能なＰＣ２００へ向け送信することにより、過去の付加画像４２１を表示させることが可能な情報を提供することができる。また、本実施例によれば、ＰＣ２００は、選択に応じた状態で付加画像４２１が付加されたプレゼンテーション画像４０１を生成して表示することができるため、過去の付加画像４２１を表示することができる。これにより、ＰＣ２００のユーザー（例えば、生徒等）は、教師が書き込んだ内容を確認できないまま次のページのプレゼンテーション画像２０が投写された場合であっても、過去の書き込みを確認することができるため、ノートの取り忘れ等にも適切に対処することができる。
【００３２】
また、例えば、カメラによるスクリーン１０の撮像画像を配信する方式や、投写中の画像をキャプチャーした画像を配信する方式の場合、メニュー画像２２や電子ペン５０等の不要な情報が含まれてしまうことがある上、画像であるため配信時のデータ量も多くなってしまう。これに対し、本実施例の方式によれば、配信されるのは付加情報１２６のみであるため、メニュー画像２２等の不要な情報が含まれず、データ量も少なくて済む。
【００３３】
また、本実施例によれば、プロジェクター１００は、付加画像４２０、４２１の変化や状態の変化を反映させた状態で付加情報１２６を提供することができるため、ＰＣ２００は、画像表示装置は、当該変化を反映したプレゼンテーション画像４００、４０１を表示することができる。また、本実施例によれば、プロジェクター１００は、最新の操作履歴１２４を生成することができるため、当該最新の操作履歴１２４に応じた最新の付加情報１２６をＰＣ２００に提供することができる。
【００３４】
（その他の実施例）
なお、本発明の適用は上述した実施例に限定されず、変形が可能である。例えば、上述した実施例では、プロジェクター１００は、一定時間ごと（リアルタイム）に付加情報１２６を配信したが、プロジェクター１００のユーザーの指示があった場合のみ付加情報１２６を配信してもよいし、プレゼンテーション画像２０の状態が更新された（例えば、ページの変更等）場合のみ付加情報１２６を配信してもよいし、ＰＣ２００のユーザーの指示があった場合のみ付加情報１２６を配信してもよい。
【００３５】
また、上述した状態は、ページに限定されず、例えば、１ページ未満の単位でのスクロールによる表示位置（例えば、左上の位置等）等であってもよい。また、画像生成部２６０は、プレゼンテーションデータ２２２に基づくサムネイル画像を生成し、当該サムネイル画像が表示された状態でのユーザーの選択に応じてプレゼンテーション画像４００、４０１を生成してもよい。
【００３６】
また、上述した実施例では、プレゼンテーションデータ１２２は、プロジェクター１００に記憶されていたが、例えば、教師の使用するＰＣや携帯型情報記憶媒体にプレゼンテーションデータ１２２が記憶され、プロジェクター１００が、当該プレゼンテーションデータ１２２に基づいてプレゼンテーション画像２０を投写してもよい。また、プレゼンテーションデータ２２２についても同様に携帯型情報記憶媒体等に記憶されてもよい。
【００３７】
また、上述した実施例では、受付部１５０は、撮像によって電子ペン５０の指示位置を検出したが、例えば、電子ペン５０による赤外光等を受光することによって電子ペン５０の指示位置を検出してもよいし、感圧方式や静電方式によって指示位置を検出してもよい。また、付加画像４２０、４２１は、電子ペン５０によって付加された画像に限定されず、例えば、インクペン、チョーク等による書き込みを示す画像、ペンや指等による軌跡を示す画像等であってもよい。
【００３８】
また、制御部２３０は、受付部２５０によって受け付けられたＰＣ２００のユーザーによる書き込み内容を示す情報に基づき、付加情報２２６に当該書き込み内容を示す情報を付加してもよい。これによれば、ＰＣ２００は、例えば、教師が付加した内容に加え、生徒が独自に付加した内容を含むプレゼンテーション画像を、生徒の指示に応じて表示することができる。
【００３９】
また、情報提供装置１０２を実装可能な装置は、プロジェクター１００に限定されず、プレゼンテーション画面で手書き入力を受け付ける機能を有する大型ディスプレイ、ホワイトボード、静電方式等によって手書き入力を受け付ける携帯情報端末やノート型ＰＣ等の表示装置等であってもよい。また、画像表示装置は、ＰＣ２００に限定されず、例えば、携帯電話、携帯情報端末等であってもよい。また、配信方式は、無線配信に限定されず、有線配信であってもよく、同一の室内での配信に限定されず、遠隔地への配信であってもよい。
【００４０】
また、上述した実施例では、金具３０を介して壁に固定される単焦点型のプロジェクター１００が使用されたが、床置きや天吊りによって使用される通常の前面投写型プロジェクターや背面投写型プロジェクターが使用されてもよい。また、床置き等で使用される場合、プロジェクターに接続されたマウス等によって文字等が描画されることによって操作履歴１２４が更新されてもよい。
【００４１】
また、プロジェクター１００の有するコンピューターは、情報記憶媒体に記憶されたプログラムを読み取って情報生成部１４０等として機能してもよい。また、ＰＣ２００の有するコンピューターは、情報記憶媒体に記憶されたプログラムを読み取って画像生成部２６０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００４２】
また、プロジェクター１００は、液晶プロジェクター（透過型、ＬＣＯＳ等の反射型）に限定されず、例えば、デジタルマイクロミラーデバイスを用いたプロジェクター等であってもよい。また、投写部１９０は、ランプの代わりに有機ＥＬ素子、シリコン発光素子、レーザーダイオード、ＬＥＤ等の固体光源を含む自己発光素子を採用してもよい。また、プロジェクター１００の機能を複数の装置（例えば、ＰＣとプロジェクター、情報提供装置１０２として機能するサーバーと、情報提供装置１０２の機能を有しないプロジェクター等）に分散してもよい。
【符号の説明】
【００４３】
１０  スクリーン、２０、４００、４０１  プレゼンテーション画像、２２  メニュー画像、５０  電子ペン、１００  プロジェクター、１０２  情報提供装置、１１０  通信部（提供側通信部）、１２０  記憶部（提供側記憶部）、１２２、２２２  プレゼンテーションデータ、１２４  操作履歴、１２６、２２６  付加情報、１２８  状態情報、１３０  操作履歴生成部、１４０  情報生成部、１５０  受付部（提供側受付部）、１６０  画像生成部（提供側画像生成部）、１９０  投写部、２００  ＰＣ（画像表示装置）、２１０  通信部（表示側通信部）、２２０  記憶部（表示側記憶部）、２３０  制御部、２５０  受付部（表示側受付部）、２６０  画像生成部（表示側画像生成部）、２９０  表示部、３００  アクセスポイント、４２０、４２１  付加画像、９１０  無線通信ユニット、９２０  ＲＡＭ、９２２  フラッシュＲＯＭ、９３０  ＣＰＵ、９５０  ＣＭＯＳセンサー、９６０  画像処理回路、９９０  ランプ駆動回路、９９１  ランプ、９９２  照明光学系、９９３  液晶駆動回路、９９４  液晶ライトバルブ、９９５  レンズ
【図１】
2012195730.tif 000003
【図２】
2012195730.tif 000004
【図３】
2012195730.tif 000005
【図４】
2012195730.tif 000006
【図５】
2012195730.tif 000007
【図６】
2012195730.tif 000008
【図７】
2012195730.tif 000009
【図８】
2012195730.tif 000010